(57)【要約】【課題】取扱い易く簡便な構成で、墓石に供えた花卉類を新鮮な状態で長持ちさせることができる墓石用花器を提供する。【解決手段】時間の経過に伴って濃度を増した内筒部４の水６ａは、連通孔４ａを介して外筒部３の環状空間Ｇに流入し、環状空間Ｇ内の新鮮な水６は連通孔４ａを介して内筒部４に供給される。このため、内筒部４の水６ａは、外筒部３の新鮮な水６を得て、蒸発を補ったり、腐敗の進行を抑制することにより、花卉類７を新鮮な状態で長持ちさせることができる。墓石２に花卉類７を供える際、外筒部３に内筒部４を設置するだけでよいため、取扱い易く簡便な構成で済み、コスト的にも有利である。【選択図】図１
2007162312.tif 000002
【特許請求の範囲】
【請求項１】
墓石の所定箇所に設けられた筒状の窪み部に、水と花卉類とを一緒に入れて供える墓石用花器であって、
前記窪み部内に設置される外筒部と、
この外筒部内に所定の環状空間を介して置かれ、下端部に前記環状空間に連通する連通孔が形成された内筒部とを具備してなることを特徴とする墓石用花器。
【請求項２】
前記外筒部および前記内筒部のうち一方の底部には凹部が設けられ、他方の底部には、前記凹部に嵌合する凸部が形成されていることを特徴とする請求項１に記載の墓石用花器。
【請求項３】
前記内筒部の外周部には、前記外筒部の内周部に嵌合するフランジ部が延設されていることを特徴とする請求項１に記載の墓石用花器。
【請求項４】
前記外筒部の内周部には、前記内筒部の外周部に当接する四個以上の案内片部が周方向に間欠形成されていることを特徴とする請求項１に記載の墓石用花器。
【請求項５】
前記外筒部および前記内筒部のうち一方の底部にはボルト部が設けられ、他方の底部には、前記ボルト部に螺合するナット部が形成されていることを特徴とする請求項１に記載の墓石用花器。
【請求項６】
前記外筒部の内周部および前記内筒部の外周部には、係合片部が周方向に間欠形成されており、前記内筒部を前記外筒部に対して周方向に回動することにより、互いの係合片部が係合し合って、前記内筒部を前記外筒部から抜止め状態に固定するバヨネット機構を構成していることを特徴とする請求項１に記載の墓石用花器。
【請求項７】
前記内筒部の外側部は、前記外筒部に内接するように波形状に曲成されていることを特徴とする請求項１に記載の墓石用花器。
【請求項８】
前記外筒部の内底面には、前記内筒部の底部が当接する十字形の隆起部が形成されていることを特徴とする請求項１に記載の墓石用花器。
【請求項９】
前記外筒部の内周部と前記内筒部の外周部とは、周方向に間欠形成された複数の架橋片部により一体的に連結されていることを特徴とする請求項１に記載の墓石用花器。
【請求項１０】
前記外筒部の内周部には、雌ねじ部を形成したリング部が設けられ、前記内筒部の外周部には、前記雌ねじ部に螺進退可能に螺合する雄ねじ部が形成されていることを特徴とする請求項１に記載の墓石用花器。
【請求項１１】
前記内筒部の外側部は、前記外筒部に内接する十字形をなしていることを特徴とする請求項１に記載の墓石用花器。
【請求項１２】
前記内筒部の外側部は、前記外筒部に内接する星形をなしていることを特徴とする請求項１に記載の墓石用花器。
【請求項１３】
前記内筒部の外側部は、前記外筒部に内接する正方形をなしていることを特徴とする請求項１に記載の墓石用花器。
【請求項１４】
前記内筒部の先端はラッパ状に開拡しているとともに、外周部は前記外筒部の先端縁に被冠する蓋部材を形成していることを特徴とする請求項１に記載の墓石用花器。
【発明の詳細な説明】
【技術分野】
【０００１】
本発明は、墓石に花卉類を供える墓石用花器に係り、とりわけ花卉類を長持ちさせるように改良した墓石用花器に関する。
【背景技術】
【０００２】
花卉類を剪定したり、購入して花器に活けた場合、花卉類を新鮮な状態で長く楽しみたいのは誰もが望むところである。この要望に応じるものに花器付き給水タンクがある（例えば、特許文献１参照）。この花器付き給水タンクは、下方の導入口および上方の排水口を形成した管状の花器本体を水洗トイレの給水タンクに設けている。使用時、給水タンクに供給される洗浄水をゴムホースを介して導入口から花器本体に導入して排水口に溢れ出させている。
これにより、水洗トイレを使用する毎に、花器本体の水が新しく入れ替わるようになり、花器本体内の花卉類を新鮮な状態で長持させている。この際、花卉類を収容する漏斗状のアタッチメントを花器本体に差し込むため、アタッチメントと花器本体とが一緒になった二重筒構造の様相を呈している。
【特許文献１】特開２００１−９０１４２号公報
【発明の開示】
【発明が解決しようとする課題】
【０００３】
特許文献１では、洗浄水の供給が受けられる給水タンクを備えた水洗トイレでないと、花器本体の水を新しく入れ替えさせることができない。このため、野外に設置された墓石に花を供えたい場合、特許文献１の花器本体を墓石に適用できず、活けた花卉類を長持ちさせ得る方途がないのが実情である。
【０００４】
そこで、石材業界では、花器に工夫を凝らしながら種々の試作を行っており、野外の墓石に供えた花卉類をも新鮮な状態で長持ちさせ得る有用な花器の登場が待望されている。とりわけ、石材業界にとって、花器は墓石に付随する線香立、ローソク立や水鉢立といった付属品として製造販売されているので、斯界の興隆を左右する重要な役割をも担っている。
【０００５】
本発明は上記の事情を考慮してなされ、その目的は、取扱い易く簡便な構成で、墓石に供えた花卉類を新鮮な状態で長持ちさせることができる墓石用花器を提供することにある。
【課題を解決するための手段】
【０００６】
（請求項１について）
墓石の所定箇所に設けられた筒状の窪み部に、水と花卉類とを一緒に入れて供える墓石用花器であって、墓石の窪み部内に設置される外筒部と、この外筒部内に所定の環状空間を介して置かれ、下端部に環状空間に連通する連通孔が形成された内筒部とを具備している。
【０００７】
内筒部の水は、活けられた花卉類により腐敗が進行し、時間の経過に伴って濃度を増す。濃度を増した水は、連通孔を介して外筒部の環状空間に流入し、環状空間内の新鮮な水は連通孔を介して内筒部に供給される。このため、内筒部の水は、外筒部の新鮮な水を得て、腐敗の進行を抑制することにより、花卉類を新鮮な状態で長持ちさせることができる。また、内筒部の蒸発水分を外筒部内の水が補うとも考えられるため、この点からも花卉類を長持ちさせることに寄与する。
墓石に花卉類を供える際、外筒部に内筒部を設置するだけでよいため、取扱い易く簡便な構成で済み、コスト的にも有利である。しかも、外筒部は、墓石の窪み部内に設置されるため、風圧を受けたり、動物などに触れられても転倒せず、花卉類の倒れを防止する効果も得られる。
【０００８】
（請求項２について）
外筒部および内筒部のうち一方の底部には凹部が設けられ、他方の底部には、凹部に嵌合する凸部が形成されている。このため、内筒部を外筒部で位置決めできて内筒部を外筒部に設置し易くなる。
【０００９】
（請求項３について）
内筒部の外周部には、外筒部の内周部に嵌合するフランジ部が延設されている。このため、フランジ部が内筒部を外筒部に位置決めするように働き、請求項２と同様に内筒部を外筒部に設置し易くなる。
【００１０】
（請求項４について）
外筒部の内周部には、内筒部の外周部に当接する四個以上の案内片部が周方向に間欠形成されている。このため、案内片部が内筒部を外筒部に位置決めするように働き、請求項２と同様に内筒部を外筒部に設置し易くなる。
【００１１】
（請求項５について）
外筒部および内筒部のうち一方の底部にはボルト部が設けられ、他方の底部には、ボルト部に螺合するナット部が形成されている。この場合、ボルト部とナット部とを螺合させることにより、内筒部を外筒部に位置決め状態に固定することができる。
【００１２】
（請求項６について）
外筒部の内周部および内筒部の外周部には、係合片部が周方向に間欠形成されており、内筒部を外筒部に対して周方向に回動することにより、互いの係合片部が係合し合って、内筒部を外筒部から抜止め状態に固定するバヨネット機構を構成している。
この場合、内筒部が回動変位により外筒部に抜止め状態に固定され、内筒部と外筒部とを一体物として取り扱い易くなる。内筒部を外筒部で反対方向に回動することにより、互いの係合片部が離れ合って内筒部を外筒部から取り出すことができる。
【００１３】
（請求項７について）
内筒部の外側部は、外筒部に内接するように波形状に曲成されている。このため、内筒部を外筒部に位置決めし易くなって管理や取り扱いが簡単になる。
【００１４】
（請求項８について）
外筒部の内底面には、内筒部の底部が当接する十字形の隆起部が形成されている。この場合、内筒部の底部が外筒部の底部から浮き上がるので、連通孔を内筒部の底部に形成しても、内筒部の水を外筒部の新鮮な水と入れ替えることができる。
【００１５】
（請求項９について）
外筒部の内周部と内筒部の外周部とは、周方向に間欠形成された複数の架橋片部により一体的に連結されている。このため、外筒部と内筒部とを一体物と見なし、管理や取り扱いを簡素化することができる。
【００１６】
（請求項１０について）
外筒部の内周部には、雌ねじ部を形成したリング部が設けられ、内筒部の外周部には、雌ねじ部に螺進退可能に螺合する雄ねじ部が形成されている。この場合、内筒部を外筒部に対して正逆回転することにより、雄ねじ部が雌ねじ部に螺進退するので、外筒部に対する内筒部の突出長さを調節することができる。
【００１７】
（請求項１１について）
内筒部の外側部は、外筒部に内接する十字形をなしている。このため、請求項７と同様に、内筒部を外筒部に位置決めし易くなって管理や取り扱いが簡単になる。
【００１８】
（請求項１２について）
内筒部の外側部は、外筒部に内接する星形をなしている。このため、請求項７と同様に、内筒部を外筒部に位置決めし易くなって管理や取り扱いが簡単になる。
【００１９】
（請求項１３について）
内筒部の外側部は、外筒部に内接する正方形をなしている。このため、請求項７と同様に、内筒部を外筒部に位置決めし易くなって管理や取り扱いが簡単になる。
【００２０】
（請求項１４について）
内筒部の先端はラッパ状に開拡しているとともに、外周部は外筒部の先端縁に被冠する蓋部材を形成している。このため、花卉類を内筒部に入れ易くなり、外筒部の水の蒸発を防ぐとともに、雨水などが外筒部に侵入することを防ぐことができる。
【発明を実施するための最良の形態】
【００２１】
本発明の墓石用花器は、墓石の所定箇所に設けられた筒状の窪み部に、水と花卉類とを一緒に入れて供えられる。内筒部と外筒部とから成り、取り扱い易く簡便な構成となり、水の腐敗を抑えることにより、墓石に供えた花卉類を新鮮な状態で長持ちさせることができる。
【実施例１】
【００２２】
本発明の実施例１を図１の（ａ）、（ｂ）に基づいて説明する。
本発明に係る墓石用花器１は、外筒部３と内筒部４とからなっている。墓石用花器１には、水６と花卉類７を一緒に入れて、墓地に設けられた墓石２に供えられる。墓石２は、所定箇所に筒状の窪み部５を形成しており、その内部に墓石用花器１が設置される。この場合、外筒部３が内筒部４と一緒に窪み部５に納められる。
【００２３】
外筒部３および内筒部４は、例えばステンレススチールの金属体により形成されている。内筒部４の先端４Ａはラッパ状に広がっており、先端４Ａ寄り中間部には、外筒部３の先端縁に被冠する蓋部材４Ｂ（断面略円弧状）を形成している。
窪み部５は、ドレイン孔（図示せず）を介して外部と連通しており、窪み部５に溜まる雨水などは外部に排出されるようになっている。
【００２４】
内筒部４は、花卉類７を収容し、所定の環状空間Ｇを介して外筒部３に略同芯的に配置されている。内筒部４の下端部には、環状空間Ｇに連通する複数の連通孔４ａが同一径寸法で周方向に等間隔に形成されている。
【００２５】
上記構成では、内筒部４の水６ａは、活けられた花卉類７により腐敗が進行し、時間の経過に伴って濃度を増す。濃度を増した水６ａは、連通孔４ａを介して外筒部３の環状空間Ｇに流入し、環状空間Ｇ内の新鮮な水６は連通孔４ａを介して内筒部４に供給される。このため、内筒部４の水６ａは、外筒部３の新鮮な水６を得て、腐敗の進行を抑制することにより、花卉類７を新鮮な状態で長持ちさせることができる。また、内筒部４の蒸発水分を外筒部３内の水６が補うとも考えられるため、この点からも花卉類７を長持ちさせることに寄与する。
【００２６】
墓石２に花卉類７を供える際、外筒部３に内筒部４を設置するだけでよいため、取り扱い易く簡便な構成で済み、コスト的にも有利である。しかも、外筒部３は、墓石２の窪み部５内に設置されるため、風圧を受けたり、動物などに触れられても転倒せず、花卉類７の倒れを防止する効果も得られる。
【実施例２】
【００２７】
図２は本発明の実施例２を示す。実施例２が実施例１と異なるところは、内筒部４で蓋部材４Ｂの直下に径大部４Ｃを膨出形成したことである。この径大部４Ｃは、外筒部３の先端内周部３Ａに着脱可能に嵌合する。このため、径大部４Ｃは、内筒部４を外筒部３に位置決めする部材として働く。
【実施例３】
【００２８】
図３は本発明の実施例３を示す。実施例３が実施例１と異なるところは、外筒部３の底部に凸部３ｂを設け、内筒部４の底部に、凸部３ｂに嵌合する凹部４ｂを形成したことである。このため、内筒部４を外筒部３に位置決めでき、内筒部４を外筒部３に設置し易くなる。上記とは反対に、外筒部３の底部に凹部を設け、内筒部４の底部に凹部に嵌合する凸部を形成してもよい。
なお、実施例３では、以下の実施例４〜１４と同様に、実施例１、２における内筒部４の先端４Ａおよび蓋部材４Ｂを省略して簡素化している。これら先端４Ａおよび蓋部材４Ｂについては、排除するものではなく、必要な場合には形成してもよい。
【実施例４】
【００２９】
図４は本発明の実施例４を示す。実施例４が実施例３と異なるところは、内筒部４の外周部に、外筒部３の内周部に嵌合するフランジ部４ｃを延設したことである。
この場合、フランジ部４ｃが内筒部４を外筒部３に位置決めするように働き、実施例２と同様に内筒部４を外筒部３に設置し易くなる。
【実施例５】
【００３０】
図５は本発明の実施例５を示す。実施例５が実施例３と異なるところは、外筒部３の内周部に、内筒部４の外周部に当接する四個の案内片部１０を周方向に９０度の角度間隔で間欠形成したことである。この場合、案内片部１０が内筒部４を外筒部３に位置決めするように働き、実施例２と同様に内筒部４を外筒部３に設置し易くなる。
この場合、内筒部４の下端部４ｅは、先細りのテーパ状に窄み、内筒部４を案内片部１０に導き易くしている。
【実施例６】
【００３１】
図６は本発明の実施例６を示す。実施例６が実施例３と異なるところは、外筒部３の底部にボルト部３ｅを設け、内筒部４の底部にボルト部３ｅに螺合するナット部４ｆを形成したことである。この場合、ボルト部３ｅとナット部４ｆとを螺合させることにより、内筒部４を外筒部３に位置決め状態に固定することができる。
ボルト部３ｅおよびナット部４ｆの形成位置については、上記とは反対に、外筒部３の底部にナット部を設け、内筒部４の底部にナット部に螺合するボルト部を形成してもよい。
【実施例７】
【００３２】
図７は本発明の実施例７を示す。実施例７が実施例３と異なるところは、外筒部３の内周部に三角形状の係合片部３ｆを周方向に間欠形成し、内筒部４の外周部に同様の係合片部４ｇを設けたことである。これにより、内筒部４を外筒部３に対して周方向に回動させると、互いの係合片部３ｆ、４ｇの斜辺部が係合する。この結果、係合片部３ｆ、４ｇがバヨネット機構１１を構成し、内筒部４を外筒部３に抜止め状態に固定する。
【００３３】
この場合、外筒部３に対する内筒部４の回動変位により、バヨネット機構１１が働いて内筒部４が外筒部３に固定されるため、外筒部３および内筒部４を一体物として取り扱い易くなる。この際、内筒部４を外筒部３で上記とは逆方向に回動することで、互いの係合片部３ｆ、４ｇが離れ合って内筒部４を外筒部３から容易に取り出すことができる。
【実施例８】
【００３４】
図８は本発明の実施例８を示す。実施例８が実施例３と異なるところは、内筒部４の外側部を外筒部３に内接する波形状に曲成したことである。このため、内筒部４を外筒部３に位置決めし易くなって管理や取り扱いが簡単になる。
【実施例９】
【００３５】
図９は本発明の実施例９を示す。実施例９が実施例３と異なるところは、外筒部３の内底面に、内筒部４の底部が当接する十字形の隆起部１２を形成したことである。
この場合、連通孔４ａを内筒部４の底部４ｊに設けている。内筒部４の底部が外筒部３の底部３ｊから浮き上がるので、環状空間Ｇの新鮮な水６が連通孔４ａを介して内筒部４の水６ａと入れ替わることができる。
【実施例１０】
【００３６】
図１０の（ａ）は本発明の実施例１０を示す。実施例１０が実施例３と異なるところは、外筒部３と内筒部４とが一体的となったことである。
すなわち、外筒部３の内周部と内筒部４の外周部とが、周方向に間欠配置された複数の架橋片部１３により連結されている。これにより、外筒部３と内筒部４とを一体物と見なし、管理や取り扱いを簡素化することができる。
【実施例１１】
【００３７】
図１０の（ｂ）は本発明の実施例１１を示す。実施例１１が実施例３と異なるところは、外筒部３の内周部には、雌ねじ部３ｇを形成したリング部１４を設けたことである。
内筒部４の外周部には、雌ねじ部３ｇに螺進退可能に螺合する雄ねじ部４ｈが形成されている。
この場合、内筒部４を外筒部３に対して正逆回転することにより、雄ねじ部４ｈが雌ねじ部３ｇに螺進退するので、外筒部３に対する内筒部４の突出長さを調節することができる。このため、内筒部４の突出長さを、花卉類７の茎の長さに応じて大小調整することができて便利である。
【実施例１２】
【００３８】
図１１の（ａ）は本発明の実施例１２を示す。実施例１２が実施例３と異なるところは、内筒部４の外側部が外筒部３に内接する星形をなすことである。このため、実施例８と同様に、内筒部４を外筒部３に位置決めし易くなって管理や取り扱いが簡単になる。
【実施例１３】
【００３９】
図１１の（ｂ）は本発明の実施例１３を示す。実施例１３が実施例３と異なるところは、内筒部４の外側部が外筒部３に内接する十字形をなすことである。このため、実施例８と同様に、内筒部４を外筒部３に位置決めし易くなって管理や取り扱いが簡単になる。
【実施例１４】
【００４０】
図１１の（ｃ）は本発明の実施例１４を示す。実施例１４が実施例３と異なるところは、内筒部４の外側部が外筒部３に内接する正方形をなすことである。このため、実施例８と同様に、内筒部４を外筒部３に位置決めし易くなって管理や取り扱いが簡単になる。
【００４１】
（変形例）
（ａ）上記実施例１〜１４で用いた花卉類７は、内筒部４に代わって環状空間Ｇに活けるようにしてもよい。
（ｂ）実施例８、１２〜１４における外筒部３については、内筒部４に対応する形状となるように設定してもよい。
【００４２】
（ｃ）実施例５における案内片部１０は、四個に限らず、それ以上の五個、六個などに設定してもよい。
（ｄ）外筒部３および内筒部４の材質については、ステンレススチールに限らず、プラスチック、陶磁器、青銅や真鍮などを用いてもよい。内筒部４の連通孔４ａは、同一径寸法に限らず、互いに異なる径寸法を有するように設定してもよい。
【産業上の利用可能性】
【００４３】
本発明の墓石用花器は、墓石の所定箇所に設けられた筒状の窪み部に、水と花卉類とを一緒に入れて供えられる内筒部と外筒部とから成り、水の蒸発を補ったり腐敗を抑えることにより、墓石に供えた花卉類を新鮮な状態で長持ちさせることができる。簡素な構造で、取り扱いが簡易なため、墓石用花器の需要を喚起し、機材部品の流通を介して機械業界に広く適用することができる。
【図面の簡単な説明】
【００４４】
【図１】（ａ）は花卉が供えられた墓石の斜視図、（ｂ）は墓石用花器の斜視図である（実施例１）。
【図２】墓石用花器の分解斜視図である（実施例２）。
【図３】墓石用花器の分解斜視図である（実施例３）。
【図４】墓石用花器の分解斜視図である（実施例４）。
【図５】墓石用花器の分解斜視図である（実施例５）。
【図６】墓石用花器の分解斜視図である（実施例６）。
【図７】墓石用花器の分解斜視図である（実施例７）。
【図８】墓石用花器の分解斜視図である（実施例８）。
【図９】墓石用花器の分解斜視図である（実施例９）。
【図１０】（ａ）は墓石用花器の斜視図（実施例１０）、（ｂ）は墓石用花器の分解斜視図である（実施例１１）。
【図１１】（ａ）は墓石用花器の分解斜視図（実施例１２）、（ｂ）は墓石用花器の斜視図（実施例１３）、（ｃ）は墓石用花器の斜視図である（実施例１４）。
【符号の説明】
【００４５】
１    墓石用花器
２    墓石
３    外筒部
３ｂ  凸部
３ｅ  ボルト部
３ｆ  係合片部
３ｇ  雌ねじ部
３ｊ  外筒部の底部
４    内筒部
４ａ  連通孔
４ｂ  凹部
４ｃ  フランジ部
４ｆ  ナット部
４ｇ  係合片部
４ｈ  雄ねじ部
４ｊ  内筒部の底部
５    窪み部
６    環状空間の水
６ａ  内筒部の水
７    花卉類
１０  案内片部
１１  バヨネット機構
１２  隆起部
１３  架橋片部
１４  リング部
Ｇ    環状空間
４Ａ  内筒部の先端
４Ｂ  蓋部材
【図１】
2007162312.tif 000003
【図２】
2007162312.tif 000004
【図３】
2007162312.tif 000005
【図４】
2007162312.tif 000006
【図５】
2007162312.tif 000007
【図６】
2007162312.tif 000008
【図７】
2007162312.tif 000009
【図８】
2007162312.tif 000010
【図９】
2007162312.tif 000011
【図１０】
2007162312.tif 000012
【図１１】
2007162312.tif 000013